(57)【要約】【目的】使用者の操作に関係なく変化する、意外性に富んだイラストを表示させる。【構成】無線信号によるデータを受信してこのデータに基づく表示を行なう表示部２を備えたページング受信機１において、受信回数と対応して段階的に変化する複数のイラストを記憶したＲＯＭ１８と、上記無線信号によるデータの受信回数をカウントするＲＡＭ１９と、このＲＡＭ１９でのカウント値により上記ＲＯＭ１８から対応するイラストを読出し、上記表示部２で表示させるＣＰＵ１４とを備える。【選択図】      図２
2006050677.tif 000002
【特許請求の範囲】
【請求項１】
データを受信してこのデータに基づく表示を行なう表示手段を備えた受信装置において、
このデータの受信回数を記憶する受信回数記憶手段と、
この受信回数に応じて段階的に変化する複数のイラストを記憶したイラスト記憶手段と、
上記データが受信された際、上記受信回数記憶手段に今回の受信を新たにカウントさせるカウント手段と、
このカウント手段によってカウントされた受信回数に基づき、上記イラスト記憶手段から対応するイラストを読出し、上記表示手段に表示させる表示制御手段と
を具備したことを特徴とする受信装置。
【請求項２】
受信されたデータよりこのデータの種別を判別する判別手段をさらに備え、
上記受信回数記憶手段は、上記データの種別毎に受信回数を記憶し、
上記イラスト記憶手段は、上記データの種別毎に、受信回数に応じて段階的に変化するイラストを複数記憶し、
上記カウント手段は、データが受信された際に上記判別手段により判別されたこのデータの種別に対応して、上記受信回数記憶手段に今回の受信を新たにカウントさせ、
上記表示制御手段は、このカウント手段によってカウントされた受信回数と上記データの種別に基づき、上記イラスト記憶手段から対応するイラストを読出し、上記表示手段に表示させる
ことを特徴とする請求項１記載の受信装置。
【請求項３】
受信されたデータよりこのデータの種別を判別する判別手段をさらに備え、
上記受信回数記憶手段は、上記データの種別毎に受信回数を記憶し、
上記イラスト記憶手段が記憶するイラストは、当該イラストを構成する複数の部品パターンで構成され、上記イラスト記憶手段は上記データの種別と対応付けて、受信回数に応じて段階的に変化する部品パターンを複数記憶し、
上記カウント手段は、データが受信された際に上記判別手段により判別されたこのデータの種別に対応して、上記受信回数記憶手段に今回の受信を新たにカウントさせ、
上記表示制御手段は、このカウント手段によってカウントされない種別の受信回数に対応する部品パターンと共に、このカウントされた受信回数に基づいて上記イラスト記憶手段から対応する部品パターンを読出し、イラストを構成して上記表示手段に表示させる
ことを特徴とする請求項１記載の受信装置。
【請求項４】
受信されたデータよりこのデータの種別を判別する判別手段と、
上記データの種別に対応して、カウントする重み付けをパラメータ化して記憶するパラメータ記憶手段とをさらに備え、
上記カウント手段はデータが受信された際に上記判別手段により判別されたこのデータの種別に対応して、上記受信回数記憶手段に今回の受信を新たにカウントする
ことを特徴とする請求項１記載の受信装置。
【請求項５】
上記表示手段は、受信されたデータに基づいたメッセージを表示し、
上記パラメータ記憶手段は、上記パラメータと対応して上記メッセージに含まれるキーワードをデータの種別情報として記憶し、
上記カウント手段はデータが受信された際に上記判別手段により判別されたキーワードに対応して、上記受信回数記憶手段に今回の受信を新たにカウントし、
上記表示制御手段は、このカウント手段によってカウントされた受信回数に基づき、上記イラスト記憶手段から対応するイラストを読出し、上記表示手段にメッセージと共に表示させる
ことを特徴とする請求項４記載の受信装置。
【発明の詳細な説明】
【技術分野】
【０００１】
本発明は、無線信号によるデータを受信してこのデータに基づく表示を行なう表示手段を備えた受信装置に関する。
【背景技術】
【０００２】
従来、赤外線変調光による光通信機能を有する電子手帳において、例えば犬等のペットのイラストを予め複数記憶しておき、特定のキー入力を行なうことでペットに「えさ」を与え、また赤外線光の送受光部前方で手を動かすことで反射光の検出パターンに応じてペットに「芸」を教え込むなど、なんらかの操作に対応したイラストを選択し、表示部で表示させることにより、擬似的にペットを飼うことができるようにしたものが商品化されている。
【発明の開示】
【発明が解決しようとする課題】
【０００３】
しかしながら、上述したような擬似的にペットを飼う機能を有している電子手帳では、あくまでも電子手帳の使用者の操作に忠実に対応したペットのイラストを選択して表示させるので、ペットは完全に受動的な行動しか起こさず、不自然という不具合があった。
【０００４】
本発明は上記のような実情に鑑みてなされたもので、その目的とするところは、使用者の操作に関係なく変化する、意外性に富んだイラストを表示させることが可能な受信装置を提供することにある。
【課題を解決するための手段】
【０００５】
すなわち本発明は、
（１）  データを受信してこのデータに基づく表示を行なう表示手段を備えた受信装置において、このデータの受信回数を記憶する受信回数記憶手段と、この受信回数に応じて段階的に変化する複数のイラストを記憶したイラスト記憶手段と、上記データが受信された際、上記受信回数記憶手段に今回の受信を新たにカウントさせるカウント手段と、このカウント手段によってカウントされた受信回数に基づき、上記イラスト記憶手段から対応するイラストを読出し、上記表示手段に表示させる表示制御手段とを具備したことを特徴とする。
【０００６】
上記（１）項に示した構成によれば、無線信号によるデータの受信回数に応じて、表示されるイラストが段階的に変化するため、意外性に富んだイラストを表示させることができ、ペット等のイラストに容易に適用できる。
【０００７】
（２）  上記（１）項において、受信されたデータよりこのデータの種別を判別する判別手段をさらに備え、上記受信回数記憶手段は、上記データの種別毎に受信回数を記憶し、上記イラスト記憶手段は、上記データの種別毎に、受信回数に応じて段階的に変化するイラストを複数記憶し、上記カウント手段は、データが受信された際に上記判別手段により判別されたこのデータの種別に対応して、上記受信回数記憶手段に今回の受信を新たにカウントさせ、上記表示制御手段は、このカウント手段によってカウントされた受信回数と上記データの種別に基づき、上記イラスト記憶手段から対応するイラストを読出し、上記表示手段に表示させることを特徴とする。
【０００８】
上記（２）項に示した構成によれば、上記（１）項の作用に加えて、無線信号により受信したデータの種別とその受信回数とに応じて、異なる種類のイラストが段階的に変化して表示されるため、より意外性に富んだイラストを表示させることができ、多数の種類のペット等のイラストに容易に適用できる。
【０００９】
（３）  上記（１）項において、受信されたデータよりこのデータの種別を判別する判別手段をさらに備え、上記受信回数記憶手段は、上記データの種別毎に受信回数を記憶し、上記イラスト記憶手段が記憶するイラストは、当該イラストを構成する複数の部品パターンで構成され、上記イラスト記憶手段は上記データの種別と対応付けて、受信回数に応じて段階的に変化する部品パターンを複数記憶し、上記カウント手段は、データが受信された際に上記判別手段により判別されたこのデータの種別に対応して、上記受信回数記憶手段に今回の受信を新たにカウントさせ、上記表示制御手段は、このカウント手段によってカウントされない種別の受信回数に対応する部品パターンと共に、このカウントされた受信回数に基づいて上記イラスト記憶手段から対応する部品パターンを読出し、イラストを構成して上記表示手段に表示させることを特徴とする。
【００１０】
上記（３）項に示した構成によれば、上記（１）項の作用に加えて、１つのイラストを構成する部品パターン毎に受信するデータの種別を割当て、データの種別毎に受信回数をカウントして表示されるイラスト中の受信した種別コードの対応する部品パターンを段階的に変化させるため、受信するデータ内容の傾向を知ることができる。
【００１１】
（４）  上記（１）項において、受信されたデータよりこのデータの種別を判別する判別手段と、上記データの種別に対応して、カウントする重み付けをパラメータ化して記憶するパラメータ記憶手段とをさらに備え、上記カウント手段はデータが受信された際に上記判別手段により判別されたこのデータの種別に対応して、上記受信回数記憶手段に今回の受信を新たにカウントすることを特徴とする。
【００１２】
上記（４）項に示した構成によれば、上記（１）項の作用に加えて、無線信号によるデータの受信回数を一律にカウントするのではなく、データの種別に応じてカウントする幅を重み付けするようにしたため、例えば受信する側にとって都合のよいデータと都合の悪いデータとで異なる重み付けを行なって、受信回数のカウントに変化を持たせることで、表示されるイラストの段階の変化に、より変化を持たせることができる。
【００１３】
（５）  上記（４）項において、上記表示手段は、受信されたデータに基づいたメッセージを表示し、上記パラメータ記憶手段は、上記パラメータと対応して上記メッセージに含まれるキーワードをデータの種別情報として記憶し、上記カウント手段はデータが受信された際に上記判別手段により判別されたキーワードに対応して、上記受信回数記憶手段に今回の受信を新たにカウントし、上記表示制御手段は、このカウント手段によってカウントされた受信回数に基づき、上記イラスト記憶手段から対応するイラストを読出し、上記表示手段にメッセージと共に表示させることを特徴とする。
【００１４】
上記（５）項に示した構成によれば、上記（４）項の作用に加えて、無線信号により受信したデータ中のメッセージに予め設定しておいたキーワードのデータがあった場合にはそのデータに対応して受信回数のカウントに変化を持たせることで、表示されるイラストの段階の変化に、より大きな変化を持たせることができる。
【発明の効果】
【００１５】
以上詳記した如く本発明によれば、無線信号によるデータの種類や受信回数に応じて表示されるイラストが段階的に変化するため、使用者の操作に関係なく変化する、意外性に富んだイラストを表示させることが可能な受信装置を提供することができる。
【発明を実施するための最良の形態】
【００１６】
（第１の実施の形態）
以下本発明をページング受信機に適用した場合の第１の実施の形態について図面を参照して説明する。
【００１７】
図１はその外観構成を示すもので、ページング受信機１は本体ケース１ａの前面に、液晶表示パネルによる表示部２、着信報知時に点灯するＬＥＤ３とが設けられる。また、本体ケース１ａの側面に電源キー４ａが、本体ケース１ａの前面で上記表示部２の下部にセットキー４ｂ、セレクトキー４ｃ及びモードキー４ｄが設けられ、これら各キー４ａ〜４ｄでキー入力部４が構成される。
【００１８】
上記表示部２は、上述した如く液晶表示パネルで構成されるものであり、文字による伝言メッセージ等を表示するためのメッセージ表示エリア２ａと図中に示す如くペット（犬）のイラストからなるイラスト表示部２ｂを有している。
【００１９】
メッセージ表示エリア２ａ及びイラスト表示部２ｂを含む表示部２全面はドットマトリクス表示するものであり、特にメッセージ表示エリア２ａの端部には、電源の投入状態に関係なく、常に現在の時刻を表示する時刻表示部２ａ１が設けられる。
【００２０】
上記キー入力部４を構成するキーとして、電源キー４ａは電源のオン／オフと着信報知のリセットを行なうもの、セットキー４ｂは時刻設定モード等の各モードにおいて決定を指示するもの、セレクトキー４ｃは各モードにおいて選択指示を行なうもの、モードキー４ｄは各モードを選択するものである。
【００２１】
図２は上記ページング受信機１に設けられる回路の概略構成を示すもので、１１はアンテナであり、このアンテナ１１はＲＦ受信部１２に接続し、このＲＦ受信部１２をデコーダ部１３を介してＣＰＵ１４に接続している。ＲＦ受信部１２は、アンテナ１１で受信した受信データを復調する。
【００２２】
上記デコーダ部１３は、ＩＤ−ＲＯＭ１５を接続しており、このＩＤ−ＲＯＭ１５は当該ページング受信機１に個別に割当てられたＩＤコード、詳細にはフレームデータやアドレスデータ等を記憶したもので、このＩＤコードをデコーダ部１３に与えるようにしている。
【００２３】
デコーダ部１３は、電源投入を検出した時点においては、所定時間内に同期信号が受信されるまでＲＦ受信部１２を駆動させ、同期信号を受信すると今度はＩＤ−ＲＯＭ１５より取込んだＩＤコードに基づいて間欠駆動させる。そして、ＲＦ受信部１２で復調した信号を解読し、これが自機に割当てられたＩＤコードに一致したと判断すると、一致検出信号および続いて受信されるメッセージデータをＣＰＵ１４に送出するようにしている。
【００２４】
ＣＰＵ１４は、上述したキー入力部４と表示部２、スピーカ１６、バイブレータ１７、上記ＬＥＤ３、ＲＯＭ１８及びＲＡＭ１９を接続しており、内部に現在の時刻を計時するタイマ１４ａを備えている。
【００２５】
スピーカ１６、バイブレータ１７及びＬＥＤ３は、それぞれＣＰＵ１４の制御により駆動されて呼出し状態を報知するためのものであり、スピーカ１６はブザー音で、バイブレータ１７は振動で、ＬＥＤ３は光の点滅でそれぞれこのページング受信機１の使用者に報知を行なう。
【００２６】
ＲＯＭ１７は、ＣＰＵ１４のために予め用意された各種制御プログラムを記憶するとともに、メッセージ定型句テーブルＲＴ、ペット成長テーブルＧＴ、えさイラストテーブルＦＴ、変化パターンテーブルＣＴ等などを固定記憶している。
【００２７】
ここでメッセージ定型句テーブルＲＴは、図３に示すようにナンバーに対応したメッセージの定型句を予め記憶したものであり、例えば受信したメッセージデータ中のナンバーが「０９」であれば、このテーブルを参照することで表示部２のメッセージ表示エリア２ａには「ＦＡＸセヨ」なる文字がメッセージ表示されることなる。
【００２８】
また、ペット成長テーブルＧＴは、図４に示すように「１」〜「８」の８段階のランクＬＮＫに応じた子犬から成人犬に至る成長過程のペットイラストを記憶したものであり、特にランクＬＮＫが「１」の場合のペットイラストを基本状態として受信開始時等で読出して図１に示した表示部２のイラスト表示部２ｂで表示させる。上記ランクＬＮＫは、受信回数の総数である総計値ＰＳＵＭが「１」〜「３２」、「３３」〜「６４」、‥‥、「２２５」〜「２５６」というように「３２」をステップ値として段階的に変化する毎にこれに対応して変化する。
【００２９】
えさイラストテーブルＦＴは、着信したメッセージデータに対応して着信時に総計値ＰＳＵにカウントする受信回数の重み付けとして予め設定されたパラメータと、このパラメータに対応し着信時に表示される「えさ」のイラストとを記憶したものであり、例えば図示する如くパラメータが「１」から「５」に変化するに従って、えさイラストの内容も「骨」→「ドッグフード（小盛）」→「ドッグフード（大盛）」→「骨付き肉（小）」→「骨付き肉（大）」と変化する。
【００３０】
変化パターンテーブルＣＴは、図６に示すように、上記ＣＰＵ１４内のタイマによって計測される待受け時間の長さによって変化するペットイラストを記憶したものである。
【００３１】
上記ＲＡＭ１８は、図７に示すようなメモリエリアの構成となっており、着信したメッセージデータを記憶するメッセージメモリエリアＭＭ、着信したメッセージの送信者を特定するためのデータを記憶するＴＥＬバンクエリアＴＢ、上記表示部２のイラスト表示部２ｂで表示されるペットの現時点での成長の度合いを記憶する成長度メモリエリアＣＤＭを有する。
【００３２】
このうちＴＥＬバンクエリアＴＢは、図８に示すようにバンクコードに対応して送信者名と連絡先の電話番号及び着信があった場合にカウントするパラメータ値を組として複数組のデータを記憶する構成となっている。
【００３３】
またメッセージメモリエリアＭＭは、着信したメッセージデータの格納番地と記憶するアドレスエリアＡＡとメッセージデータを格納するデータエリアＤＡと、着信メッセージの確認、未確認をフラグ処理で行なうための未確認フラグエリアＵＦとで構成されている。
【００３４】
さらに上記成長度メモリエリアＣＤＭは、図９に示す如く上記表示部２のイラスト表示部２ｂで表示されるペットの現時点での総計値ＰＳＵＭとこれに対応するランクＬＮＫとを記憶するようになっている。
【００３５】
次に上記第１の実施の形態の動作について説明する。
【００３６】
図１０及び図１１は電源キー４ａを操作してページング受信機１の電源を投入した場合の主としてＣＰＵ１４による着信処理の内容を示すフローチャートである。
【００３７】
すなわち、電源キー４ａを操作することで電源投入すると、受信モードが設定され、現在の時刻を計時しているタイマ１４ａにより表示部２の時刻表示部２ａ１で時刻表示を行なわせると共に、着信があるまでの時間の計時をスタートさせ、またすでにスタートされている場合は続行する（ステップＡ１）。
【００３８】
これと同時にＣＰＵ１４は、まず始めに連続的な着信待ちの状態として同期信号を検出し、同期信号を検出した場合にはこの同期信号に基づいて当該ペ−ジング受信機１に割当てられたタイミングで間欠的な着信待ちの状態に切換えた上で、アンテナ１１を介してＲＦ受信部１２で受信し、デコーダ部１３で復調された受信信号に含まれる呼出信号をＩＤ−ＲＯＭ１５から与えられる当該ペ−ジング受信機１に個別に割当てられたＩＤコードと照合する。
【００３９】
このとき、表示部２のイラスト表示部２ｂでは、図６に示した６時間以上経過字に表示する眠った状態のペットイラストを変化パターンテーブルＣＴから読出し、これを一定時間をかけて徐々にコントラストを上げながら表示した後に、図１に示した如くランクＬＮＫ「１」の基本のペットイラストを読出して表示させる。
【００４０】
この状態で、ＣＰＵ１４は上記デコーダ部１３からの一致信号を検出したか否か、すなわち復調された受信信号に含まれる呼出信号がＩＤ−ＲＯＭ１５から与えられる当該ペ−ジング受信機１に個別に割当てられたＩＤコードと一致し、自機を呼出す着信があったか否か判断する（ステップＡ２）。
【００４１】
一致信号を検出した場合、ＣＰＵ１４はタイマ１４ａでの着信があるまでの時間の計時をストップさせると共に、デコーダ部１３に対して受信信号を継続して受信するように指示し、呼出信号の後に続くデータを取込んでＲＡＭ１９のメッセージ記憶メモリエリアＭＭに格納した後（ステップＡ３）、取込んだ内容にメッセージデータが付いているか否かを判断する（ステップＡ４）。
【００４２】
ここで、呼出信号の後にメッセージデータが続いていると判断した場合は、次いでそのメッセージデータを解読してＴＥＬバンク検索を指定するコードとバンクナンバーすなわちバンクコードとからなるバンクデータであるか否か判断する（ステップＡ５）。
【００４３】
バンクデータであると判断するとＣＰＵ１４は、そのバンクコードに従って上記図８で示したＲＡＭ１９のＴＥＬバンクエリアＴＢを検索し、対応するパラメータ値を読出して成長度メモリエリアＣＤＭの総計値ＰＳＵＭに加算する（ステップＡ６）。
【００４４】
また、上記ステップＡ５で呼出信号の後に続いているメッセージデータにバンクコードがなく、バンクデータではないと判断した場合には、予め設定されたパラメータ値、例えば「２」を成長度メモリエリアＣＤＭの総計値ＰＳＵＭに加算する（ステップＡ７）。
【００４５】
さらに、上記ステップＡ４で呼出信号の後にメッセージデータが続いていないと判断した場合は、予め設定されたパラメータ値、例えば「１」を成長度メモリエリアＣＤＭの総計値ＰＳＵＭに加算する（ステップＡ８）。
【００４６】
しかるに、上記ステップＡ６〜Ａ８のいずれかの処理で成長度メモリエリアＣＤＭの総計値ＰＳＵＭに加算した後、加算した分のパラメータ値に対応してＲＯＭ１８のえさイラストテーブルＦＴからえさイラストを読出して表示部２のイラスト表示部２ｂでペットの前に表示させ（ステップＡ９）、同時に着信に基づく報知を上記スピーカ１６、バイブレータ１７及びＬＥＤ３のうち設定されているものを用いて行なう一方、上記タイマ１４ａによる着信があるまでの時間の計時をリセットし、再スタートさせる（ステップＡ１０）。
【００４７】
その後、上記スピーカ１６、バイブレータ１７及びＬＥＤ３による着信に基づく報知を停止させるべくリセットキーを兼ねた上記電源キー４ａの操作が検出されたか否か、あるいはこの電源キー４ａが操作されないままに予め設定されている報知時間、例えば２０秒が経過したか否かを繰返し判断する（ステップＡ１１，Ａ１２）。
【００４８】
ステップＡ１１でリセットキーを兼ねた電源キー４ａが操作されたと検出した場合、ＣＰＵ１４は操作に従って上記スピーカ１６、バイブレータ１７及びＬＥＤ３による着信の報知を停止させると共に、上記図３で示したＲＯＭ１８のメッセージ定型句テーブルＲＴから受信したメッセージデータに対応したメッセージの定型句を読出して表示部２のメッセージ表示エリア２ａで表示させ、同時に上記ステップＡ９でえさイラストテーブルＦＴから読出したえさイラストを用いてイラスト表示部２ｂでペットがえさを食べる動画処理を行なう（ステップＡ１３）。
【００４９】
図１２はこのステップＡ１３での表示処理の態様を例示したものである。ここでは、メッセージデータとして「＊４＊４１１＊２＊２００＃」を着信した場合を示す。データ中の先頭位置にある「＊４＊４」は定型句指定コード、続く「１１」は定型句ナンバー、「＊２＊２」はバンク指定コード、「００」はバンクナンバー、最後の「＃」は本メッセージデータの終了コードである。
【００５０】
したがって、このメッセージデータでは、バンクナンバー「００」によりＲＡＭ１９のＴＥＬバンクエリアＴＢから対応する送信者名「○○○○」とパラメータ値「３」とを読出し、成長度メモリエリアＣＤＭの総計値ＰＳＵＭにパラメータ値「３」を加算させると共に、図示する如くえさイラストテーブルＦＴからパラメータ値「３」に対応する「ドッグフード（大盛）」のえさイラストを読出して表示部２のイラスト表示部２ｂでこれをペットが食べるように動画表示し、さらに定型句ナンバー「１１」に従ってＲＯＭ１８のメッセージ定型句テーブルＲＴから読出した定型句メッセージ「サキニイク」と上記送信者名「○○○○」とをメッセージ表示エリア２ａで表示することとなる。
【００５１】
このステップＡ１３での表示処理後、成長度メモリエリアＣＤＭの総計値ＰＳＵＭの内容により図４に示したＲＯＭ１８内のペット成長テーブルＧＴとを照合し、対応するランクＬＮＫが上がっているか否か判断する（ステップＡ１４）。
【００５２】
そして、ランクＬＮＫが上がっていると判断した場合にのみ、１ランク上がったペットイラストを同ペット成長テーブルＧＴから読出し、表示部２のイラスト表示部２ｂでそれまでのペットイラストと差換えて表示させ（ステップＡ１５）、その後再び上記ステップＡ１からの処理に戻る。
【００５３】
図１３は上記ステップＡ１５の処理により上記図１２の表示態様からイラスト表示部２ｂでのペットイラストが１ランク上がった状態を例示するもので、上記図１の同イラスト表示部２ｂで表示したペットイラストに比べて、１回り大きくなっていることが分かる。
【００５４】
また、上記ステップＡ１２で着信報知の状態からリセットキーを兼ねた上記電源キー４ａが操作されないままに予め設定されている報知時間、例えば２０秒が経過したと判断した場合には、ＲＡＭ１９のメッセージメモリエリアＭＭにおいて未確認フラグエリアＵＦに未確認フラグを設定し（ステップＡ１６）、ＲＯＭ１８のえさイラストテーブルＦＴから読出したえさイラストを表示部２のイラスト表示部２ｂ以外の場所に移動させて両者を離して表示し（ステップＡ１７）、その後再び上記ステップＡ１からの処理に戻る。
【００５５】
図１４はこのステップＡ１７の処理により上記図１２の表示態様からえさイラストをイラスト表示部２ｂでのペットイラストから左端側に大きく移動させて離して表示させた状態を例示するもので、この表示により着信したメッセージが未確認であること、及び、表示されているえさイラストからそのメッセージを送信してきた送信者がパラメータ値を「３」に設定している程度の重用度を有していることが分かる。
【００５６】
このような表示状態にあって、上記キー入力部４のモードキー４ｄの操作により読出しモードを設定し、メッセージ確認を行なうと、上記図１２に示した如くイラスト表示部２ｂでこのえさイラストを食べる表示となると共に、メッセージ表示エリア２ａでは対応する定型句のメッセージと送信者とを表示するようになる。
【００５７】
なお、上記ステップＡ２でデコーダ部１３からの一致信号を検出せず、自機を呼出す着信がないと判断した場合、ＣＰＵ１４はまずタイマ１４ａの計時している着信の待機時間が１２時間を経過したか否か判断する（ステップＡ１８）。
【００５８】
ここで１２時間を経過していると判断した場合、ＣＰＵ１４はＲＡＭ１９の総計値ＰＳＵＭの内容から一定数「３２」を減算し、対応するランクＬＮＫの内容も「−１」すると共に、この１ランクダウンさせたランクＬＮＫの内容に基づいてＲＯＭ１８のペット成長テーブルＧＴからペットイラストを読出して、表示部２のイラスト表示部２ｂでそれまでのペットイラストと差換えて表示させる（ステップＡ１９）。その後、タイマ１４ａの計時している着信の待機時間をリセットしてから（ステップＡ２０）、再び上記ステップＡ１からの処理に戻る。
【００５９】
また、上記ステップＡ１８でタイマ１４ａの計時している着信の待機時間が１２時間を経過していないと判断した場合、ＣＰＵ１４は次に同タイマ１４ａの計時している着信の待機時間が６時間を経過したか否か判断する（ステップＡ２１）。
【００６０】
ここで６時間を経過していると判断した場合、ＣＰＵ１４はＲＯＭ１８の変化パターンテーブルＣＴからこの待機時間に対応するペットイラストを読出して、表示部２のイラスト表示部２ｂでそれまでのペットイラストと差換えて表示してから（ステップＡ２２）、再び上記ステップＡ１からの処理に戻る。
【００６１】
さらに、上記ステップＡ２１でタイマ１４ａの計時している着信の待機時間が６時間を経過していないと判断した場合、ＣＰＵ１４は次に同タイマ１４ａの計時している着信の待機時間が３時間を経過したか否か判断する（ステップＡ２３）。
【００６２】
ここで３時間を経過していると判断した場合、上記ステップＡ２２と同様にＣＰＵ１４はＲＯＭ１８の変化パターンテーブルＣＴからこの待機時間に対応するペットイラストを読出して、表示部２のイラスト表示部２ｂでそれまでのペットイラストと差換えて表示させてから（ステップＡ２４）、再び上記ステップＡ１からの処理に戻る。
【００６３】
そして、上記ステップＡ２３でタイマ１４ａの計時している着信の待機時間が３時間を経過していないと判断した場合、同タイマ１４ａの計時している着信の待機時間は３時間未満であることとなるので、特に表示部２での表示状態を変化させずに（ステップＡ２５）、そのまま再び上記ステップＡ１からの処理に戻る。
【００６４】
なお、上記ステップＡ１による着信待ち状態での間欠受信中、同期信号を連続して４分間受信できなかった場合には、当該ページング受信機１の受信エリア圏外であるものと判断して、６時間着信待ち状態でのペットイラストをＲＯＭ１８の変化パターンテーブルＣＴから読出し、表示部２のイラスト表示部２ｂで差換表示させるものとする。
【００６５】
また、電源を投入した状態で、且つ着信報知を行なっていない場合に電源キー４ａを操作することで、電源をオフすることができるものであるが、このとき表示部２のメッセージ表示エリア２ａでは、上記図１に示したペットイラストから上記６時間着信待ち状態でのペットイラストに、コントラストを徐々に下げながら差換表示させ、最終的にはイラスト表示部２ｂでの表示が消されるようになるものとする。
【００６６】
（第２の実施の形態）
以下本発明をページング受信機に適用した場合の第２の実施の形態について図面を参照して説明する。
【００６７】
基本的な外観構成及び内部の回路構成は、上記図１及び図２で示したものとほぼ同様であるので、同一部分には同一符号を付してその説明は省略するものとする。
【００６８】
しかるに、特に表示部２を図１５に抜き出して示す如く、表示部２は時刻表示部２ａ１を含むメッセージ表示エリア２ａの他に、魚をかたどったイラスト表示部２ｃを設ける。このイラスト表示部２ｃは、図示する如く例えば頭部イラストＡ、背びれイラストＢ、尾びれイラストＣ、胸びれイラストＤ、胴イラストＥ及び泡イラストＦの各部品パターンを組合わせて構成されるもので、このうち頭部イラストＡ、背びれイラストＢ、尾びれイラストＣ及び胸びれイラストＤは詳しくは後述するがその形状がそれぞれ段階的に変化するものとし、この図１では初期形状を示す。
【００６９】
また、ＲＯＭ１８は上記図３に示したメッセージ定型句テーブルＲＴ、図４に示したペット成長テーブルＧＴ、図５に示したえさイラストテーブルＦＴ及び図６に示した変化パターンテーブルＣＴに代えて、フリー伝言マトリクスＦＭ、メッセージ定型句テーブルＲＴ２、ペット成長テーブルＧＴ２を固定記憶している。
【００７０】
図１６は上記フリー伝言マトリクスＦＭの内容を示すもので、テーブルの行アドレス及び列アドレスをそれぞれ「１」「２」〜「０」で指定することにより、カタカナ、アルファベット、数字、記号等のキャラクタの表示ドットパターンを読出して表示部２のメッセージ表示エリア２ａに表示させるものである。
【００７１】
図１７は上記メッセージ定型句テーブルＲＴ２の内容を示すもので、ナンバーに対応したメッセージの定型句とそれに対応するパラメータ値を予め記憶したものであり、例えば受信したメッセージデータ中のナンバーが「０９」であれば、このテーブルを参照することで表示部２のメッセージ表示エリア２ａには「ＦＡＸセヨ」なる文字がメッセージ表示され、また後述する総計値ＰＳＵＭが「２」されることとなる。
【００７２】
図１８は上記ペット成長テーブルＧＴ２の内容を示すものであり、「１」〜「８」の８段階のランクＬＮＫに応じた上記イラスト表示部２ｃでの頭部イラストＡ、背びれイラストＢ、尾びれイラストＣ及び胴イラストＥの各部品パターンを記憶したものであり、特にランクＬＮＫが「１」の場合のペットイラストを基本状態として受信開始時等で読出して図１５に示した如く表示部２のイラスト表示部２ｃで表示させる。上記ランクＬＮＫは、受信回数の総数である総計値ＰＳＵＭが「１」〜「３２」、「３３」〜「６４」、‥‥、「２２５」〜「２５６」というように「３２」をステップ値として段階的に変化する毎にこれに対応して変化する。
【００７３】
また、上記ＲＡＭ１９は、上記図７に示したのとほぼ同様のメモリエリア構成を有すると共に、図１９１９に示すようなメッセージデータの態様によって設定されたパラメータテーブルＰＴを有している。ここでは、例えば自機を呼出す着信のみがあり、その呼出しにメッセージデータが付加されていなかった場合のパラメータ値を「２」としている。
【００７４】
また、ＲＡＭ１９の成長度メモリエリアＣＤＭは、上記図９に示したものに代えて、図２０に示す構成の成長度メモリエリアＣＤＭ２であるものとする。この場合、上記イラスト表示部２ｃの頭部イラストＡ、背びれイラストＢ、尾びれイラストＣ及び胸びれイラストＤにそれぞれ対応して現時点での総計値ＰＳＵＭとこれに対応するランクＬＮＫとを記憶するようになっている。
【００７５】
次に上記第２実施例の動作について説明する。
【００７６】
図２１は電源キー４ａを操作してページング受信機１の電源を投入した場合の主としてＣＰＵ１４による着信処理の内容を示すフローチャートである。
【００７７】
すなわち、電源キー４ａを操作することで電源投入すると、現在の時刻を計時しているタイマ１４ａにより表示部２の時刻表示部２ａ１で時刻表示を行なわせると共に、受信モードが設定される（ステップＢ１）。
【００７８】
これと同時にＣＰＵ１４は、まず始めに連続的な着信待ちの状態として同期信号を検出し、同期信号を検出した後にこの同期信号に基づいて当該ペ−ジング受信機１に割当てられたタイミングで間欠的な着信待ちの状態に切換えた上で、アンテナ１１を介してＲＦ受信部１２で受信し、デコーダ部１３で復調された受信信号に含まれる呼出信号をＩＤ−ＲＯＭ１５から与えられる当該ペ−ジング受信機１に個別に割当てられたＩＤコードと照合する。
【００７９】
このとき、表示部２のイラスト表示部２ｃでは、図１５に示した各パーツ共にランクＬＮＫ「１」の基本のペットイラストを読出して表示させる。
【００８０】
この状態で、ＣＰＵ１４は上記デコーダ部１３からの一致信号を検出したか否か、すなわち復調された受信信号に含まれる呼出信号がＩＤ−ＲＯＭ１５から与えられる当該ペ−ジング受信機１に個別に割当てられたＩＤコードと一致し、自機を呼出す着信があったか否か判断し（ステップＢ２）、なければ再び上記ステップＢ１からの間欠的な着信待ちの状態を繰返し行なう。
【００８１】
そして、このステップＢ２で一致信号を検出したと判断すると、ＣＰＵ１４はデコーダ部１３に対して受信信号を継続して受信するように指示し、呼出信号の後に続くデータを取込んでＲＡＭ１９のメッセージ記憶メモリエリアＭＭに格納した後（ステップＢ３）、取込んだ内容にメッセージデータが付いているか否かを判断する（ステップＢ４）。
【００８２】
ここで、呼出信号の後にメッセージデータが続いていると判断した場合は、次いでそのメッセージデータを解読して定型句指定コードがあるか否か、すなわちそのメッセージデータが定型句によるものであるか否かを判断する（ステップＢ５）。
【００８３】
ここで定型句指定コードがあると判断するとＣＰＵ１４は、その定型句指定コードに続く定型句のナンバーに従って上記図１７に示したメッセージ定型句テーブルＲＴ２を参照し、対応する定型句の内容とパラメータ値とを読出して、そのパラメータ値を成長度メモリエリアＣＤＭ２の頭部イラストＡに該当する総計値ＰＳＵＭ部分に加算させる（ステップＢ６）。
【００８４】
次いで、この加算した成長度メモリエリアＣＤＭ２の頭部イラストＡに該当する総計値ＰＳＵＭ部の内容により図１８に示したＲＯＭ１８内のペット成長テーブルＧＴ２を照合し、頭部イラストＡにおける対応するランクＬＮＫが上がっているか否か判断する（ステップＢ７）。
【００８５】
当該ランクＬＮＫが上がっていると判断した場合には、１ランク上がった頭部イラストＡを同ペット成長テーブルＧＴ２から読出し、表示部２のイラスト表示部２ｃでそれまでの頭部イラストＡと差換えて表示させ、また同時にメッセージ表示エリア２ａでメッセージ定型句テーブルＲＴ２から読出した定型句の内容を表示させて（ステップＢ８）、以上で一連の受信処理を一旦終了し、再び上記ステップＢ１からの着信を待機する状態に戻る。
【００８６】
図２２はこのステップＢ８での表示処理の態様を例示したものである。ここでは、メッセージデータとして「＊４＊４０１＃」を着信した場合を示す。データ中の先頭位置にある「＊４＊４」は定型句指定コード、続く「０１」は定型句ナンバー、最後の「＃」は本メッセージデータの終了コードである。
【００８７】
したがって、このメッセージデータでは、定型句ナンバー「０１」によりＲＯＭ１８のメッセージ定型句テーブルＲＴ２から対応する定型句の内容「キンキュウ」とパラメータ値「２」とを読出し、成長度メモリエリアＣＤＭの頭部イラストＡの総計値ＰＳＵＭに「２」を加算させることでランクアップして上記図１５で示した状態とは異なる頭部イラストＡをイラスト表示部２ｃで表示させると共に、図示する如く表示部２のメッセージ表示エリア２ａで読出した定型句メッセージ「キンキュウ」を表示させるものである。
【００８８】
また、上記ステップＢ５でメッセージデータ中に定型句指定コードがなく、そのメッセージデータが定型句によるものではないと判断した場合には、次いでメッセージデータ中にフリー伝言によるメッセージを指定する指定コードがあるか否か、すなわちそのメッセージデータがフリー伝言によるものであるか否かを判断する（ステップＢ９）。
【００８９】
ここでフリー伝言によるメッセージの指定コードがあると判断するとＣＰＵ１４は、その指定コードに従って上記図１９に示したパラメータテーブルＰＴからパラメータ値「３」を読出し、そのパラメータ値を成長度メモリエリアＣＤＭ２の背びれイラストＢに該当する総計値ＰＳＵＭ部分に加算させる（ステップＢ１０）。
【００９０】
次いで、この加算した成長度メモリエリアＣＤＭ２の背びれイラストＢに該当する総計値ＰＳＵＭ部の内容により図１８に示したＲＯＭ１８内のペット成長テーブルＧＴ２を照合し、背びれイラストＢにおける対応するランクＬＮＫが上がっているか否か判断する（ステップＢ１１）。
【００９１】
当該ランクＬＮＫが上がっていると判断した場合には、１ランク上がった背びれイラストＢを同ペット成長テーブルＧＴ２から読出し、表示部２のイラスト表示部２ｃでそれまでの背びれイラストＢと差換えて表示させ、また同時にメッセージ表示エリア２ａでフリー伝言マトリクスＦＭをアドレス指定して得たフリー伝言の内容を表示させて（ステップＢ１２）、以上で一連の受信処理を一旦終了し、再び上記ステップＢ１からの着信を待機する状態に戻る。
【００９２】
図２３はこのステップＢ１２での表示処理の態様を例示したものである。ここでは、メッセージデータとして
「＊３＊３１１９２２１０４４５１３＃」を着信した場合を示す。データ中の先頭位置にある「＊３＊３」は定型句指定コード、続く「１１９２２１０４４５１３」はフリー伝言フォーマットによってカナ等の文字に変換される数字列、最後の「＃」は本メッセージデータの終了コードである。
【００９３】
したがって、このメッセージデータでは、フリー伝言の数字列「１１９２２１０４４５１３」によりＲＯＭ１８のフリー伝言マトリクスＦＭから対応する一連のフリー伝言「アリカ゛トウ」を、パラメータテーブルＰＴからパラメータ値「３」をそれぞれ読出し、成長度メモリエリアＣＤＭの背びれイラストＢの総計値ＰＳＵＭに「３」を加算させることでランクアップして上記図１５で示した状態とは異なる背びれイラストＢをイラスト表示部２ｃで表示させると共に、図示する如く表示部２のメッセージ表示エリア２ａで読出したフリー伝言メッセージ「アリカ゛トウ」」を表示させるものである。
【００９４】
また、上記ステップＢ９でメッセージデータ中にフリー伝言によるメッセージを指定する指定コードがなく、そのメッセージデータがフリー伝言によるものではないと判断した場合には、そのメッセージデータが数字列を直接示すものであることとなるので、ＣＰＵ１４は上記図１９に示したパラメータテーブルＰＴから「メッセージのみ」の場合のパラメータ値「２」を読出し、そのパラメータ値を成長度メモリエリアＣＤＭ２の尾びれイラストＣに該当する総計値ＰＳＵＭ部分に加算させる（ステップＢ１３）。
【００９５】
次いで、この加算した成長度メモリエリアＣＤＭ２の尾びれイラストＣに該当する総計値ＰＳＵＭ部の内容により図１８に示したＲＯＭ１８内のペット成長テーブルＧＴ２を照合し、尾びれイラストＣにおける対応するランクＬＮＫが上がっているか否か判断する（ステップＢ１４）。
【００９６】
当該ランクＬＮＫが上がっていると判断した場合には、１ランク上がった尾びれイラストＣを同ペット成長テーブルＧＴ２から読出し、表示部２のイラスト表示部２ｃでそれまでの尾びれイラストＣと差換えて表示させ、また同時にメッセージ表示エリア２ａでメッセージを構成する数字列を直接表示させて（ステップＢ１５）、以上で一連の受信処理を一旦終了し、再び上記ステップＢ１からの着信を待機する状態に戻る。
【００９７】
図２４はこのステップＢ１５での表示処理の態様を例示したものである。ここでは、メッセージデータとして「４９１９＃」を着信した場合を示す。データ中の「４９１９」が直接表示される数字列、最後の「＃」が本メッセージデータの終了コードである。
【００９８】
したがって、このメッセージデータでは、パラメータテーブルＰＴからメッセージのみの場合のパラメータ値「２」を読出し、成長度メモリエリアＣＤＭの尾びれイラストＣの総計値ＰＳＵＭに「２」を加算させることでランクアップして上記図１５で示した状態とは異なる尾びれイラストＣをイラスト表示部２ｃで表示させると共に、図示する如く表示部２のメッセージ表示エリア２ａで数字列「４９１９」を表示させるものである。
【００９９】
また、上記ステップＢ４で呼出信号の後にメッセージデータが続いていないと判断した場合には、ＣＰＵ１４は上記図１９に示したパラメータテーブルＰＴから「呼び出しのみ」の場合のパラメータ値「２」を読出し、そのパラメータ値を成長度メモリエリアＣＤＭ２の胸びれイラストＤに該当する総計値ＰＳＵＭ部分に加算させる（ステップＢ１６）。
【０１００】
次いで、この加算した成長度メモリエリアＣＤＭ２の胸びれイラストＤに該当する総計値ＰＳＵＭ部の内容により図１８に示したＲＯＭ１８内のペット成長テーブルＧＴ２を照合し、胸びれイラストＤにおける対応するランクＬＮＫが上がっているか否か判断する（ステップＢ１７）。
【０１０１】
当該ランクＬＮＫが上がっていると判断した場合には、１ランク上がった胸びれイラストＤを同ペット成長テーブルＧＴ２から読出し、表示部２のイラスト表示部２ｃでそれまでの胸びれイラストＤと差換えて表示させて（ステップＢ１８）、以上で一連の受信処理を一旦終了し、再び上記ステップＢ１から  の着信を待機する状態に戻る。
【０１０２】
図２５はこのステップＢ１８での表示処理の態様を例示したものである。ここでは、パラメータテーブルＰＴから呼出しのみの場合のパラメータ値「２」を読出し、成長度メモリエリアＣＤＭの胸びれイラストＤの総計値ＰＳＵＭに「２」を加算させることでランクアップして、上記図１５で示した状態とは異なる胸びれイラストＤをイラスト表示部２ｃで表示させる。このとき、図示する如く表示部２のメッセージ表示エリア２ａではメッセージデータがないことを示すために例えば記号「−」により「−−−−−−−−」を表示させるようにしている。
【０１０３】
さらに、上記ステップＢ７，Ｂ１１，Ｂ１４，Ｂ１７のいずれかで、成長度メモリエリアＣＤＭ２の頭部イラストＡ、背びれイラストＢ、尾びれイラストＣまたは胸びれイラストＤに該当する総計値ＰＳＵＭ部の内容と対応するランクＬＮＫが上がっていないと判断した場合は、表示部２のイラスト表示部２ｃで当該パーツ部のランクアップしたものへの差換え表示は行なわず、イラスト表示部２ｃはその前の状態と同様にして、メッセージ表示エリア２ａでメッセージデータがあるものに関してはそのメッセージデータを表示する（ステップＢ１９）。
【０１０４】
（第３の実施の形態）
以下本発明をページング受信機に適用した場合の第３の実施の形態について図面を参照して説明する。
【０１０５】
基本的な外観構成及び内部の回路構成は、上記図１及び図２で示したものとほぼ同様であるので、同一部分には同一符号を付してその説明は省略するものとする。特に表示部２は図１に示した通りメッセージ表示エリア２ａ及びイラスト表示部２ｂを有し、このイラスト表示部２ｂでは１つのペットイラストを表示するものとする。
【０１０６】
しかるに、上記ＩＤ−ＲＯＭ１５は、図２６に示すようなメモリエリアの構成を有するものとする。同図中の左欄のアドレス番地は、当該ＩＤ−ＲＯＭ１５内に格納されるデータを指定する番地を指定する番号である。
【０１０７】
すなわち、これらのデータは１ビットの信号情報として格納されるもので、番地「０」はこのＩＤ−ＲＯＭ１５が使用可能／不可能であることを“１”／“０”を書込むことで設定し、以下、番地「１」には当該ページング受信機１を呼出す第１のアドレスデータ（以下「アドレスデータ１」のように称する）が使用可能／不可能であることを“１”／“０”で設定し、その後の番地「２」から番地「１９」までの１８ビットに実際のアドレスデータ１を設定している。
【０１０８】
同様に、番地「２０」には当該ページング受信機１を呼出すアドレスデータ２が使用可能／不可能であることを“１”／“０”で設定し、その後の番地「２１」から番地「３８」までの１８ビットに実際のアドレスデータ２を設定している。
【０１０９】
さらに、送信されるバッチ内で当該ページング受信機１が受信するフレームデータＡを番地「３９」から番地「４１」に格納しており、その後に続けて着信時の報知設定を行なうエリア（番地「４２」〜「４５」）、アドレスデータ３、アドレスデータ４、‥‥を格納するエリアを設けている。
【０１１０】
また、上記ＲＯＭ１８には、ＣＰＵ１４がページング受信機１全体を制御するための動作プログラムと、上記図１６で示したフリー伝言マトリクスＦＭ、上記図１７で示したメッセージ定型句テーブルＲＴ２の他に、ペット成長テーブルＧＴ３、えさイラストテーブルＦＴ２及び変化パターンテーブルＣＴ２を格納している。
【０１１１】
図２７はペット成長テーブルＧＴ３の内容を示すものであり、呼出し番号であるアドレスデータ１、アドレスデータ２、‥‥のそれぞれのアドレスデータＡＤＲに対応して、それぞれ異なっている複数種類のペットの、ランクＬＮＫに応じた８段階の成長過程に則したペットイラストを記憶している。上記ランクＬＮＫは、受信回数の総数である総計値ＰＳＵＭが「１」〜「３２」、「３３」〜「６４」、‥‥、「２２５」〜「２５６」というように「３２」をステップ値として段階的に変化する毎にこれに対応して変化する。
【０１１２】
図２８はえさイラストテーブルＦＴ２の内容を示すものであり、着信したメッセージデータに対して予め設定された「１」から「５」までのパラメータと、このパラメータに対応したペットに与える「えさ」のイラストを種別情報である上記呼出し番号であるアドレスデータ１、アドレスデータ２、‥‥に従って複数種類分記憶したものである。
【０１１３】
図２９は変化パターンテーブルＣＴ２の内容を示すものであり、上記ＣＰＵ１４内のタイマによって計測される待受け時間の長さによって変化するペットイラストを上記呼出し番号であるアドレスデータ１、アドレスデータ２、‥‥に従って複数種類分記憶したものである。
【０１１４】
また、上記ＲＡＭ１９は、上記図７に示したものとほぼ同様のメモリエリア構成を有すると共に、図３１に示すようなキーワードメモリエリアＫＷを有している。ここでは、自機を呼出す着信に付加されているメッセージデータ中に例えば「アイ」なるキーワードが含まれていた場合のパラメータ値を「３」としている。
【０１１５】
また、ＲＡＭ１９の成長度メモリエリアＣＤＭは、上記図９、図２０に示したものに代えて図３０に示すような構成の成長度メモリエリアＣＤＭ３とする。この場合、呼出し番号であるアドレスデータ１、アドレスデータ２、‥‥のそれぞれのアドレスデータＡＤＲ毎に、現時点での総計値ＰＳＵＭとこれに対応するランクＬＮＫとを記憶するようになっている。
【０１１６】
次に上記第３の実施の形態の動作について説明する。
【０１１７】
図３２及び図３３は電源キー４ａを操作してページング受信機１の電源を投入した場合の主としてＣＰＵ１４による着信処理の内容を示すフローチャートである。
【０１１８】
すなわち、電源キー４ａを操作することで電源投入すると、受信モードを設定して着信を待機する状態とすると共に、現在の時刻を計時しているタイマ１４ａにより表示部２の時刻表示部２ａ１で時刻表示を行なわせ、さらに着信があるまでの時間の計時をスタートさせる（ステップＣ１）。
【０１１９】
このときＣＰＵ１４は、まず始めに連続的な着信待ちの状態として同期信号を検出し、同期信号を検出した後にこの同期信号に基づいて当該ペ−ジング受信機１に割当てられたタイミングで間欠的な着信待ちの状態に切換えた上で、アンテナ１１を介してＲＦ受信部１２で受信し、デコーダ部１３で復調された受信信号に含まれる呼出信号をＩＤ−ＲＯＭ１５から与えられる当該ペ−ジング受信機１に個別に割当てられた上記いくつかのアドレスデータＡＤＲすなわちアドレスデータ１、アドレスデータ２，‥‥のうちの使用が許可されているものと順次照合する。
【０１２０】
次いで、着信を待機している時間に応じてイラスト表示部２ｂで表示されるペットイラストの状態を可変する「ペットバンクモード」を選択するべくモードキー４ｄが操作されているか否か判断する（ステップＣ２）。
【０１２１】
ペットバンクモードが選択されていない場合、ＣＰＵ１４は上記デコーダ部１３からの一致信号を検出したか否か、すなわち復調された受信信号に含まれる呼出信号がＩＤ−ＲＯＭ１５から与えられる当該ペ−ジング受信機１に個別に割当てられたアドレスデータＡＤＲのいずれかと一致し、自機を呼出す着信があったか否か判断し（ステップＣ３）、なければ再び上記ステップＣ２からの間欠的な着信待ちの状態での判断を繰返し行なう。
【０１２２】
そして、このステップＣ３で一致信号を検出したと判断すると、ＣＰＵ１４はデコーダ部１３に対して受信信号を継続して受信するように指示し、呼出信号の後に続くデータを取込んでＲＡＭ１９のメッセージメモリエリアＭＭに格納させる一方、一致を検出したアドレスデータＡＤＲの内容に対応してＲＯＭ１８の成長度メモリエリアＣＤＭ３の該当する総計値ＰＳＵＭ及びランクＬＮＫを読出し、読出した内容に応じてＲＯＭ１８のペット成長テーブルＧＴ３から該当するペットイラストを読出す（ステップＣ４）。
【０１２３】
その後、メッセージメモリエリアＭＭに取込んだ内容にメッセージデータが付いているか否かを判断し（ステップＣ５）、付いていないと判断した場合には、ＩＤ−ＲＯＭ１５のアドレス「４２」〜「４５」の報知設定の内容に基づいて着信があったことのみをスピーカ１６、スピーカ１６及びＬＥＤ３のうち設定されているものにより報知出力させると共に、表示部２のメッセージ表示エリア２ａで呼出しがあった旨のメッセージのみを表示させる（ステップＣ１０）。
【０１２４】
また、上記ステップＣ５でメッセージメモリエリアＭＭに取込んだ内容にメッセージデータが付いていると判断した場合には、次いでそのメッセージデータを解読してメッセージデータ中に上記図３１に示したＲＡＭ１９のキーワードメモリエリアＫＷに記憶されているキーワードのいずれかが含まれているか否か判断する（ステップＣ６）。
【０１２５】
キーワードが含まれていた場合、ＣＰＵ１４はそのキーワードに対応するパラメータ値を読出し、成長度メモリエリアＣＤＭ３のアドレスデータＡＤＲに対応した総計値ＰＳＵＭに加算設定すると共に、このパラメータ値と上記アドレスデータＡＤＲとによってＲＯＭ１８のえさイラストテーブルＦＴ２から対応するえさイラストを読出す（ステップＣ７）。
【０１２６】
そして、この読出したえさイラストと上記ステップＣ４で読出したペットイラストとによって表示部２のイラスト表示部２ｂでえさを食べるペットのアニメーション表示、具体的にはえさを前にして「お座り」の姿勢をとっているペットとえさを食べているペットの画像を一定時間、例えば１秒毎に交互に表示させると共に、同表示部２のメッセージ表示エリア２ａにおいて着信したメッセージデータを表示する（ステップＣ９）。
【０１２７】
この際、メッセージデータ中にキーワードが含まれている場合には、当該キーワード部分をアンダーライン等で強調表示するようにしてもよい。
【０１２８】
図３４はこのステップＣ９での表示処理の態様を例示したものである。ここでは、着信データとして「アドレスデータ１」とメッセージデータ
「＊３＊３１１１２４１１１＃」
とを着信した場合を示す。データ中、「アドレスデータ１」に続くメッセージデータの先頭の「＊３＊３」はフリー伝言指定コード、これに続く「１１１２４１１１」はフリー伝言フォーマットによってカナ等の文字に変換される数字列、最後の「＃」は本メッセージデータの終了コードである。
【０１２９】
したがって、このメッセージデータでは、フリー伝言の数字列「１１１２４１１１」によりＲＯＭ１８のフリー伝言マトリクスＦＭから対応する一連のフリー伝言「アイタイ」を読出し、さらにこのフリー伝言「アイタイ」の中にキーワード「アイ」が含まれているためにこれを検出してキーワードメモリエリアＫＷから対応するパラメータ値「３」を読出して、表示部２のメッセージ表示エリア２ａで「アイ」部分にアンダーラインを付した「アイタイ」の文字をメッセージとして表示する。
【０１３０】
これと同時に表示部２のイラスト表示部２ｂでは、着信した「アドレスデータ１」とパラメータ値「３」とによりえさイラストテーブルＦＴ２から読出した「ドッグフード（大盛）」のえさイラストと、「アドレスデータ１」と成長度メモリエリアＣＤＭ３の該当する総計値ＰＳＵＭ及びランクＬＮＫとによってペット成長テーブルＧＴ３から読出した「犬」のペットイラストとを用いて、図示する如く「犬」が「ドッグフード（大盛）」を食べるようなアニメーション表示を行なわせる。
【０１３１】
なお、上記ステップＣ６でメッセージデータ中からキーワードが検出できなかった場合は、ＣＰＵ１４が上記ステップＣ７の処理に代えて固定化されたパラメータ値、例えば「２」を成長度メモリエリアＣＤＭ３のアドレスデータＡＤＲに対応した総計値ＰＳＵＭに加算設定すると共に、このパラメータ値「２」と上記アドレスデータＡＤＲとによってＲＯＭ１８のえさイラストテーブルＦＴ２から対応するえさイラストを読出し（ステップＣ８）、その後に上記ステップＣ９に至る。
【０１３２】
そして、上記ステップＣ９または上記ステップＣ１０による表示部２での表示処理実行後に、成長度メモリエリアＣＤＭ３のアドレスデータＡＤＲに対応した総計値ＰＳＵＭ及びランクＬＮＫの内容により図２７に示したＲＯＭ１８内のペット成長テーブルＧＴ３を照合し、対応するランクＬＮＫが上がっているか否か判断する（ステップＣ１１）。
【０１３３】
ここで、当該ランクＬＮＫが上がっていると判断した場合にのみ、アドレスデータＡＤＲに応じた１ランク上がったペットイラストを同ペット成長テーブルＧＴ３から読出し、表示部２のイラスト表示部２ｂでそれまで表示していたペットイラストと差換えて表示させて（ステップＣ１２）、以上で一連の受信処理を一旦終了し、再び上記ステップＣ２からの処理に戻る。
【０１３４】
また、上記ステップＣ２で着信を待機している時間に応じてイラスト表示部２ｂで表示されるペットイラストの状態を可変する「ペットバンクモード」を選択するべくモードキー４ｄが操作されていると判断すると、ＣＰＵ１４はまずその時点での成長度メモリエリアＣＤＭ３のアドレスデータＡＤＲに対応した総計値ＰＳＵＭ及びランクＬＮＫの内容により図２７に示したＲＯＭ１８内のペット成長テーブルＧＴ３から対応するペットイラストを読出して表示部２のイラスト表示部２ｂで表示させ（ステップＣ１３）、その後にタイマ１４ａが計時している着信の待機時間が１２時間を経過したか否か判断する（ステップＣ１４）。
【０１３５】
ここで１２時間を経過していると判断した場合、ＣＰＵ１４はＲＡＭ１９の成長度メモリエリアＣＤＭ３におけるアドレスデータＡＤＲに対応した総計値ＰＳＵＭの内容から一定数「３２」を減算し、対応するランクＬＮＫの内容も「−１」すると共に、この１ランクダウンさせたランクＬＮＫの内容に基づいてＲＯＭ１８のペット成長テーブルＧＴ３からペットイラストを読出して、表示部２のイラスト表示部２ｂでそれまでのペットイラストと差換えて表示させる（ステップＣ１５）。その後、タイマ１４ａの計時している着信の待機時間をリセットし、再スタートさせてから（ステップＣ１６）、上記ステップＣ３に至る。
【０１３６】
また、上記ステップＣ１４でタイマ１４ａの計時している着信の待機時間が１２時間を経過していないと判断した場合、ＣＰＵ１４は次に同タイマ１４ａの計時している着信の待機時間が６時間を経過したか否か判断する（ステップＣ１７）。
【０１３７】
ここで６時間を経過していると判断した場合、ＣＰＵ１４はＲＯＭ１８の変化パターンテーブルＣＴ２からアドレスデータＡＤＲとこの待機時間とに対応するペットイラストを読出して、表示部２のイラスト表示部２ｂでそれまでのペットイラストと差換えて表示してから（ステップＣ１８）、上記ステップＣ３に戻る。
【０１３８】
さらに、上記ステップＣ１７でタイマ１４ａの計時している着信の待機時間が６時間を経過していないと判断した場合、ＣＰＵ１４は次に同タイマ１４ａの計時している着信の待機時間が３時間を経過したか否か判断する（ステップＣ１９）。
【０１３９】
ここで３時間を経過していると判断した場合、上記ステップＣ１８と同様にＣＰＵ１４はＲＯＭ１８の変化パターンテーブルＣＴからアドレスデータＡＤＲとこの待機時間とに対応するペットイラストを読出して、表示部２のイラスト表示部２ｂでそれまでのペットイラストと差換えて表示させてから（ステップＣ２０）、上記ステップＣ３に戻る。
【０１４０】
そして、上記ステップＣ１９でタイマ１４ａの計時している着信の待機時間が３時間を経過していないと判断した場合、同タイマ１４ａの計時している着信の待機時間は３時間未満であることとなるので、この「ペットバンクモード」から他のモードを選択変更するべくモードキー４ｄが操作されていないことを確認した上で（ステップＣ２１）、特に表示部２での表示状態を変化させずに（ステップＣ２３）、そのまま上記ステップＣ３の処理に戻る。
【０１４１】
また、上記ステップＣ２１でモードキー４ｄが操作され、モードを切換えるための信号が検出されたと判断した場合には、その操作回数に応じて他のモード設定処理を行なった後（ステップＣ２２）、上記ステップＣ３に戻る。
【０１４２】
なお、上記第１実施例乃至第３実施例のいずれにおいても、総計値ＰＳＵＭがその最大値「２５６」となった時点で、ＣＰＵ１４によりリセットされて再び「０」からスタートするものとする。
【０１４３】
また本発明は、上記各実施の形態にのみ限定されず、要旨を変更しない範囲で適宜変形して実施できる。例えば、上述した実施の形態では、犬、魚、猫等のイラストを用いたが、これに限らず、他の動物、植物、自動車やオートバイ等の状態を模写したイラストを使用しても良い。
【０１４４】
さらに、本発明は、公衆回線を利用したページング受信機に限らず、無線通信機能を有する各種タイプの受信装置に適用される。つまり、公衆回線を利用しない構内ページング受信機や赤外線などで通信する通信機能付き玩具また通信機能を有するパーソナルコンピュータ、電子手帳、その他の電子計算処理装置にも本発明は適用できるものである。
【図面の簡単な説明】
【０１４５】
【図１】本発明の第１の実施の形態に係るページング受信機の外観構成を示す図。
【図２】同実施の形態に係る回路構成を示すブロック図。
【図３】図２のＲＯＭに記憶されるメッセージ定型句テーブルを例示する図。
【図４】図２のＲＯＭに記憶されるペット成長テーブルを例示する図。
【図５】図２のＲＯＭに記憶されるえさイラストテーブルを例示する図。
【図６】図２のＲＯＭに記憶される変化パターンテーブルを例示する図。
【図７】図２のＲＡＭのメモリマップ構成を示す図。
【図８】図７のＴＥＬバンクエリアの具体構成を例示する図。
【図９】図７の成長度メモリエリアの構成を例示する図。
【図１０】同実施の形態に係るＣＰＵによる動作処理内容を示すフローチャート。
【図１１】同実施の形態に係るＣＰＵによる動作処理内容を示すフローチャート。
【図１２】同実施の形態に係る動作での表示状態を例示する図。
【図１３】同実施の形態に係る動作での表示状態を例示する図。
【図１４】同実施の形態に係る動作での表示状態を例示する図。
【図１５】本発明の第２の実施の形態に係る表示部での表示状態を例示する図。
【図１６】同実施の形態に係るＲＯＭに記憶されるフリー伝言マトリクスを例示する図。
【図１７】同実施の形態に係るＲＯＭに記憶されるメッセージ定型句テーブルを例示する図。
【図１８】同実施の形態に係るＲＯＭに記憶されるペット成長テーブルを例示する図。
【図１９】同実施の形態に係るＲＡＭに記憶されるパラメータテーブルを例示する図。
【図２０】同実施の形態に係るＲＡＭの成長度メモリエリアを例示する図。
【図２１】同実施の形態に係るＣＰＵによる動作処理内容を示すフローチャート。
【図２２】同実施の形態に係る動作での表示状態を例示する図。
【図２３】同実施の形態に係る動作での表示状態を例示する図。
【図２４】同実施の形態に係る動作での表示状態を例示する図。
【図２５】同実施の形態に係る動作での表示状態を例示する図。
【図２６】本発明の第３の実施の形態に係るＩＤ−ＲＯＭのメモリエリア構成を例示する図。
【図２７】同実施の形態に係るＲＯＭに記憶されるペット成長テーブルを例示する図。
【図２８】同実施の形態に係るＲＯＭに記憶されるえさイラストテーブルを例示する図。
【図２９】同実施の形態に係るＲＯＭに記憶される変化パターンテーブルを例示する図。
【図３０】同実施の形態に係るＲＡＭの成長度メモリエリアの構成を例示する図。
【図３１】同実施の形態に係るＲＡＭのキーワードメモリエリアの構成を例示する図。
【図３２】同実施の形態に係るＣＰＵによる動作処理内容を示すフローチャート。
【図３３】同実施の形態に係るＣＰＵによる動作処理内容を示すフローチャート。
【図３４】同実施の形態に係る動作での表示状態を例示する図。
【符号の説明】
【０１４６】
１…ページング受信機
１ａ…本体ケース
２…表示部
２ａ…メッセージ表示エリア
２ａ１…時刻表示部
２ｂ…イラスト表示部
２ｃ…イラスト表示部
３…ＬＥＤ
４…キー入力部
４ａ…電源キー
４ｂ…セットキー
４ｃ…セレクトキー
４ｄ…モードキー
１１…アンテナ
１２…ＲＦ受信部
１３…デコーダ部
１４…ＣＰＵ
１４ａ…タイマ
１５…ＩＤ−ＲＯＭ
１６…スピーカ
１７…バイブレータ
１８…ＲＯＭ
１９…ＲＡＭ
ＡＡ…アドレスエリア
ＣＤＭ，ＣＤ２，ＣＤＭ３…成長度メモリエリア
ＣＴ，ＣＴ２…変化パターンテーブル
ＤＡ…データエリア
ＦＭ…フリー伝言マトリクス
ＦＴ，ＦＴ２…えさイラストテーブル
ＧＴ，ＧＴ２，ＧＴ３…ペット成長テーブル
ＫＷ…キーワードメモリエリア
ＭＭ…メッセージメモリエリア
ＰＴ…パラメータテーブル
ＲＴ，ＲＴ２…メッセージ定型句テーブル
ＴＢ…ＴＥＬバンクエリア
ＵＦ…未確認フラグエリア
【図１】
2006050677.tif 000003
【図２】
2006050677.tif 000004
【図３】
2006050677.tif 000005
【図４】
2006050677.tif 000006
【図５】
2006050677.tif 000007
【図６】
2006050677.tif 000008
【図７】
2006050677.tif 000009
【図８】
2006050677.tif 000010
【図９】
2006050677.tif 000011
【図１０】
2006050677.tif 000012
【図１１】
2006050677.tif 000013
【図１２】
2006050677.tif 000014
【図１３】
2006050677.tif 000015
【図１４】
2006050677.tif 000016
【図１５】
2006050677.tif 000017
【図１６】
2006050677.tif 000018
【図１７】
2006050677.tif 000019
【図１８】
2006050677.tif 000020
【図１９】
2006050677.tif 000021
【図２０】
2006050677.tif 000022
【図２１】
2006050677.tif 000023
【図２２】
2006050677.tif 000024
【図２３】
2006050677.tif 000025
【図２４】
2006050677.tif 000026
【図２５】
2006050677.tif 000027
【図２６】
2006050677.tif 000028
【図２７】
2006050677.tif 000029
【図２８】
2006050677.tif 000030
【図２９】
2006050677.tif 000031
【図３０】
2006050677.tif 000032
【図３１】
2006050677.tif 000033
【図３２】
2006050677.tif 000034
【図３３】
2006050677.tif 000035
【図３４】
2006050677.tif 000036
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
外部から送られてきた外部データを受信してこの外部データに基づく表示を行なう表示手段を備えた受信装置において、
外部データの受信回数と生物の成長過程を示す生物画像とを対応付けて複数組記憶している画像記憶手段と、
前記外部データと当該外部データの内容に対応した餌画像とを前記表示手段に表示させる第１の表示制御手段と、
この第１の表示制御手段の制御により表示された外部データの受信回数を記憶する受信回数記憶手段と、
この受信回数記憶手段により受信された受信回数に対応づけられている生物画像を前記画像記憶手段から読み出し、前記表示手段に表示させる第２の表示制御手段と
を具備したことを特徴とする受信装置。
【請求項２】
前記外部データの種別を判別する判別手段をさらに備え、
前記受信回数記憶手段は、前記外部データの種別毎に受信回数を記憶する種別毎受信回数記憶手段を備えており、
前記第２の表示制御手段は、前記種別毎受信回数記憶手段に記憶されている受信回数と前記外部データの種別とに基づき、前記画像記憶手段から対応する生物画像を読み出し、この読み出された生物画像を前記表示手段に表示させる生物画像表示制御手段を備えていることを特徴とする請求項１記載の受信装置。
【請求項３】
前記外部データの種別を判別する判別手段をさらに備え、
前記受信回数記憶手段は、前記外部データの種別毎に受信回数を記憶する種別毎受信回数記憶手段を備えており、
前記生物画像は、当該画像を構成する複数の部品画像の組み合わせで構成されており、
前記画像記憶手段は、前記外部データの種別と対応付けて、外部データの受信回数に応じて異なる形状の部品画像を複数記憶している部品画像記憶手段を備えており、
前記第２の表示制御手段は、前記種別毎受信回数記憶手段に記憶している受信回数に基づいて、前記画像記憶手段から対応する各部品画像を読み出し、この読み出された各部品画像を組み合わせて構成された生物画像を前記表示手段に表示させる生物画像表示制御手段を備えていることを特徴とする請求項１記載の受信装置。
【請求項４】
前記外部データの種別を判別する判別手段と、
この判別手段により判別された外部データの種別に対応するパラメータの値を記憶するパラメータ記憶手段とをさらに備えており、
前記第２の表示制御手段は、前記外部データが受信された際に前記判別手段により判別された外部データの種別に対応するパラメータの値に基づき、前記画像記憶手段から対応する生物画像を読み出し、この読み出された生物画像を前記表示手段に表示させる生物画像表示制御手段を備えていることを特徴とすることを特徴とする請求項１記載の受信装置。
【請求項５】
前記表示手段は、前記外部データに基づいたメッセージを表示するメッセージ表示手段を備えており、
前記パラメータ記憶手段は、前記パラメータの値と対応して前記メッセージに含まれるキーワードをデータの種別情報として記憶する種別情報記憶手段を備えていることを特徴とする請求項４記載の受信装置。
【請求項６】
外部から送られてきた外部データを受信してこの外部データに基づく表示を行なう表示部とデータを記憶する記憶部とを備えた受信装置に用いられる生物画像表示制御方法において、
外部データの受信回数と生物の成長過程を示す生物画像とを対応付けて複数組記憶している画像記憶手段と、
前記外部データと当該外部データの内容に対応した餌画像とを前記表示手段に表示させる第１の表示制御ステップと、
この第１の表示制御ステップの制御により表示された外部データの受信回数を前記記憶部に記憶させる受信回数記憶制御ステップと、
この受信回数記憶制御ステップにより受信された受信回数に対応づけられている生物画像を前記画像記憶手段から読み出し、前記表示手段に表示させる第２の表示制御ステップと
を具備したことを特徴とする生物画像表示制御方法。
【手続補正３】
【補正対象書類名】明細書
【補正対象項目名】０００５
【補正方法】変更
【補正の内容】
【０００５】
すなわち、請求項１に記載の発明は、外部から送られてきた外部データを受信してこの外部データに基づく表示を行なう表示手段を備えた受信装置において、外部データの受信回数と生物の成長過程を示す生物画像とを対応付けて複数組記憶している画像記憶手段と、前記外部データと当該外部データの内容に対応した餌画像とを前記表示手段に表示させる第１の表示制御手段と、この第１の表示制御手段の制御により表示された外部データの受信回数を記憶する受信回数記憶手段と、この受信回数記憶手段により受信された受信回数に対応づけられている生物画像を前記画像記憶手段から読み出し、前記表示手段に表示させる第２の表示制御手段と、を具備したことを特徴とする。
【手続補正４】
【補正対象書類名】明細書
【補正対象項目名】０００６
【補正方法】変更
【補正の内容】
【０００６】
この発明の構成によれば、外部データの受信回数に応じて、表示される生物画像を段階的に変化させることができるばかりでなく、外部データの内容に対応した餌を表示させることができる。このために、外部データの受信を契機としながらも、意外性に富んだ生物画像を表示させることができ、ペット等の画像に容易に適用できる。
【手続補正５】
【補正対象書類名】明細書
【補正対象項目名】０００７
【補正方法】変更
【補正の内容】
【０００７】
請求項２に記載の発明は、前記外部データの種別を判別する判別手段をさらに備え、前記受信回数記憶手段は、前記外部データの種別毎に受信回数を記憶する種別毎受信回数記憶手段を備えており、前記第２の表示制御手段は、前記種別毎受信回数記憶手段に記憶されている受信回数と前記外部データの種別とに基づき、前記画像記憶手段から対応する生物画像を読み出し、この読み出された生物画像を前記表示手段に表示させる生物画像表示制御手段を備えていることを特徴とする。
【手続補正６】
【補正対象書類名】明細書
【補正対象項目名】０００８
【補正方法】変更
【補正の内容】
【０００８】
この発明の構成によれば、請求項１記載の発明の作用に加えて、外部データの種別とその受信回数とに応じて、異なる種類の生物画像が段階的に変化して表示されるため、より意外性に富んだ画像を表示させることができ、例えば、多種類のペット等の生物画像に容易に適用できる。
【手続補正７】
【補正対象書類名】明細書
【補正対象項目名】０００９
【補正方法】変更
【補正の内容】
【０００９】
請求項３に記載の発明は、前記外部データの種別を判別する判別手段をさらに備え、前記受信回数記憶手段は、前記外部データの種別毎に受信回数を記憶する種別毎受信回数記憶手段を備えており、前記生物画像は、当該画像を構成する複数の部品画像の組み合わせで構成されており、前記画像記憶手段は、前記外部データの種別と対応付けて、外部データの受信回数に応じて異なる形状の部品画像を複数記憶している部品画像記憶手段を備えており、前記第２の表示制御手段は、前記種別毎受信回数記憶手段に記憶している受信回数に基づいて、前記画像記憶手段から対応する各部品画像を読み出し、この読み出された各部品画像を組み合わせて構成された生物画像を前記表示手段に表示させる生物画像表示制御手段を備えていることを特徴とする。
【手続補正８】
【補正対象書類名】明細書
【補正対象項目名】００１０
【補正方法】変更
【補正の内容】
【００１０】
この発明の構成によれば、請求項１記載の発明の作用に加えて、１つの生物画像を構成する部品画像毎に受信する外部データの種別と外部データの種別毎の受信回数とに基づいた部品画像を変化させることができる。このため、例えば、外部データ内容の傾向を知ることができる。
【手続補正９】
【補正対象書類名】明細書
【補正対象項目名】００１１
【補正方法】変更
【補正の内容】
【００１１】
請求項４に記載の発明は、前記外部データの種別を判別する判別手段と、この判別手段により判別された外部データの種別に対応するパラメータの値を記憶するパラメータ記憶手段とをさらに備えており、前記第２の表示制御手段は、前記外部データが受信された際に前記判別手段により判別された外部データの種別に対応するパラメータの値に基づき、前記画像記憶手段から対応する生物画像を読み出し、この読み出された生物画像を前記表示手段に表示させる生物画像表示制御手段を備えていることを特徴とすることを特徴とする。
【手続補正１０】
【補正対象書類名】明細書
【補正対象項目名】００１２
【補正方法】変更
【補正の内容】
【００１２】
請求項４記載の発明の構成によれば、請求項１記載の発明の作用に加えて、外部データの受信回数のみに基づくのではなく、外部データの種別にも応じて、表示される生物画像の変化を持たせることができる。
【手続補正１１】
【補正対象書類名】明細書
【補正対象項目名】００１３
【補正方法】変更
【補正の内容】
【００１３】
請求項５に記載の発明は、前記表示手段は、前記外部データに基づいたメッセージを表示するメッセージ表示手段を備えており、前記パラメータ記憶手段は、前記パラメータの値と対応して前記メッセージに含まれるキーワードをデータの種別情報として記憶する種別情報記憶手段を備えていることを特徴とする。
【手続補正１２】
【補正対象書類名】明細書
【補正対象項目名】００１４
【補正方法】変更
【補正の内容】
【００１４】
請求項５記載の発明の構成によれば、請求項４記載の発明の作用に加えて、外部データ中のメッセージに予め設定しておいたキーワードのデータがあった場合にはそのデータに対応して、表示される生物画像の段階に、より大きな変化を持たせることができる。
請求項６に記載の発明は、外部から送られてきた外部データを受信してこの外部データに基づく表示を行なう表示部とデータを記憶する記憶部とを備えた受信装置に用いられる生物画像表示制御方法において、外部データの受信回数と生物の成長過程を示す生物画像とを対応付けて複数組記憶している画像記憶手段と、前記外部データと当該外部データの内容に対応した餌画像とを前記表示手段に表示させる第１の表示制御ステップと、この第１の表示制御ステップの制御により表示された外部データの受信回数を前記記憶部に記憶させる受信回数記憶制御ステップと、この受信回数記憶制御ステップにより受信された受信回数に対応づけられている生物画像を前記画像記憶手段から読み出し、前記表示手段に表示させる第２の表示制御ステップと、を具備したことを特徴とする。
請求項６記載の発明の方法によれば、外部データの受信回数に応じて、表示される生物画像を段階的に変化させることができるばかりでなく、外部データの内容に対応した餌を表示させることができる。このために、意外性に富んだ画像を表示させることができ、ペット等の生物画像に容易に適用できる。
【手続補正１３】
【補正対象書類名】明細書
【補正対象項目名】００１５
【補正方法】変更
【補正の内容】
【００１５】
以上詳記した如く本発明によれば、外部データの受信回数に応じて、表示される生物画像を段階的に変化させることができるばかりでなく、外部データの内容に対応した餌を表示させることができる。このために、外部データの受信を契機としながらも、受信装置の使用者の操作に関係なく変化する、意外性に富んだ生物画像と餌とを表示させることが可能となる。